(57)【要約】【課題】表示部の周囲に形成される画面枠の大きさをより小さくする。【解決手段】電子機器１００は、ディスプレイユニット４０と、検知領域３２および検知領域３２の外周に設けられた配線領域３４を含むタッチパネルユニット３０と、カバーガラス２０とを備える。カバーガラス２０は、表示部４２からの光を透過させる主面部２１と、主面部２１の外縁から湾曲する接続部２２と、接続部２２の外縁に連設された側壁部２３とを含む。タッチパネルユニット３０の配線領域３４の一部または全部は、側壁部２３の内周面に沿うように配置されている。【選択図】図２
2014095992.tif 000002
【特許請求の範囲】
【請求項１】
画像を表示する表示部を含むディスプレイユニットと、
前記ディスプレイユニットの前記表示部に対向するように配置され使用者による前記表示部に対する操作を検知する検知領域、および前記検知領域の外周に設けられ前記検知領域に電気的に接続された配線領域を含むタッチパネルユニットと、
前記タッチパネルユニットを前記ディスプレイユニットの反対側から覆うように設けられるカバーガラスと、を備え、
前記カバーガラスは、
表面側が外部に露出し、前記表示部からの光を裏面側から前記表面側に向かって透過させる主面部と、
前記主面部の外縁に連設され、前記主面部から外方に向かうにつれて前記表面から遠ざかる方向に湾曲する接続部と、
前記接続部の外縁に連設され、前記主面部から遠ざかる方向に延在する側壁部と、を含み、
前記タッチパネルユニットの前記配線領域の一部または全部は、前記側壁部の内周面に沿うように配置されている、
電子機器。
【請求項２】
前記ディスプレイユニットは、前記表示部の外周に設けられた非表示部を含み、
前記ディスプレイユニットの前記非表示部の一部または全部は、前記側壁部の前記内周面に沿うように配置された前記配線領域に沿うように配置される、
請求項１に記載の電子機器。
【請求項３】
前記カバーガラスは、溶融したガラスが金型を用いて加圧成形されることにより作製されたガラス成形品からなる、
請求項１または２に記載の電子機器。
【請求項４】
前記接続部の内側に形成された湾曲面の曲率半径は、１．５ｍｍ以上である、
請求項１から３のいずれかに記載の電子機器。
【請求項５】
前記タッチパネルユニットは、静電容量方式タッチパネルユニットである、
請求項１から４のいずれかに記載の電子機器。
【発明の詳細な説明】
【技術分野】
【０００１】
本発明は、タッチパネルを備える電子機器に関する。
【背景技術】
【０００２】
特開２０１２−１２８００６号公報（特許文献１）は、表示装置に関する発明を開示している。この表示装置は、折り曲げ可能な基板と、画素が基板上に配置されてなる画素アレイ部と、基板上の画素アレイ部の周辺の少なくとも１辺において折り曲げられた基板端部と、基板端部に配置され、画素アレイ部の各画素を駆動する周辺回路部と、周辺回路部と同じ基板端部上に設けられ、周辺回路部と外部とを電気的に接続するパッド部とを備える。同公報は、この構成によれば、画素アレイ部の各画素を駆動する周辺回路部の機能を制限することなく、表示パネルの狭額縁化を図ることができると述べている。
【０００３】
特開２０１１−０４７９７６号公報（特許文献２）は、電子機器に関する発明を開示している。この電子機器は、複数の画素が形成された電気光学層を厚さが５０μｍ以下のガラス基板上に形成してなる表示パネルと、表示パネルを支持する支持枠とを備える。支持枠には、複数の画素が形成された表示領域の少なくとも一部を支持する支持部と、表示領域の外側に形成された額縁領域の少なくとも一辺を収納するための収納部と、が形成される。上記一辺は、表示領域の周縁部近傍から支持枠側に折り曲げられ、額縁領域の少なくとも一部が収納部の側壁に接触して保持されている。同公報は、この構成によれば、信頼性の確保と狭額縁化とを両立することができると述べている。
【０００４】
特開２００９−１５４４７９号公報（特許文献３）は、静電容量センサー付ガラスインサート成形品に関する発明を開示している。この成形品は、ガラス板を主構成とする平面板と、平面板の外周全体に一体形成された樹脂枠とを備える。樹脂枠の少なくとも対向する二辺には、平面板の裏面周縁部も覆うように支持部が形成されている。この成形品は、ガラスインサート成形品の裏側に対して貼り合わせられる静電容量センサをさらに備え、樹脂枠の一辺または対向する二辺において、支持部の裏面が平面板の裏面と段差部を介さずに緩やかに連続する傾斜面を有し、当該支持部の傾斜面に静電容量センサの引き回し導電パターン形成部が重なっている。同公報は、この構成によれば、狭額縁化を実現することができると述べている。
【先行技術文献】
【特許文献】
【０００５】
【特許文献１】特開２０１２−１２８００６号公報
【特許文献２】特開２０１１−０４７９７６号公報
【特許文献３】特開２００９−１５４４７９号公報
【発明の概要】
【発明が解決しようとする課題】
【０００６】
表示部およびタッチパネルを備えた電子機器においては、筺体等の大きさを大きくすることなく表示部の大きさをできるだけ大きくすることが求められている。このような改善は、タブレット型のパソコンおよびスマートフォン（携帯電話）等の携帯型の電子機器だけでなく、表示部およびタッチパネルを備えたいわゆる据置型の電子機器にも求められている。
【０００７】
表示部の大きさをできるだけ大きくするためには、表示部の周囲に形成される画面枠の大きさを小さくすること（狭額化）が挙げられる。狭額化を図るためには、タッチパネルユニットの外周に設けられる配線ラインの数を少なくしたり、配線ラインの幅を狭くしたり、配線ライン同士の間の間隔を小さくしたりすることが考えられるが、これらの改善だけでは十分でない場合がある。
【０００８】
本発明は、表示部およびタッチパネルユニットを備えた電子機器であって、表示部の周囲に形成される画面枠の大きさをより小さくすることが可能な電子機器を提供することを目的とする。
【課題を解決するための手段】
【０００９】
本発明に基づく電子機器は、画像を表示する表示部を含むディスプレイユニットと、上記ディスプレイユニットの上記表示部に対向するように配置され使用者による上記表示部に対する操作を検知する検知領域、および上記検知領域の外周に設けられ上記検知領域に電気的に接続された配線領域を含むタッチパネルユニットと、上記タッチパネルユニットを上記ディスプレイユニットの反対側から覆うように設けられるカバーガラスと、を備え、上記カバーガラスは、表面側が外部に露出し、上記表示部からの光を裏面側から上記表面側に向かって透過させる主面部と、上記主面部の外縁に連設され、上記主面部から外方に向かうにつれて上記表面から遠ざかる方向に湾曲する接続部と、上記接続部の外縁に連設され、上記主面部から遠ざかる方向に延在する側壁部と、を含み、上記タッチパネルユニットの上記配線領域の一部または全部は、上記側壁部の内周面に沿うように配置されている。
【００１０】
好ましくは、上記ディスプレイユニットは、上記表示部の外周に設けられた非表示部を含み、上記ディスプレイユニットの上記非表示部の一部または全部は、上記側壁部の上記内周面に沿うように配置された上記配線領域に沿うように配置される。
【００１１】
好ましくは、上記カバーガラスは、溶融したガラスが金型を用いて加圧成形されることにより作製されたガラス成形品からなる。
【００１２】
好ましくは、上記接続部の内側に形成された湾曲面の曲率半径は、１．５ｍｍ以上である。
【００１３】
好ましくは、上記タッチパネルユニットは、静電容量方式タッチパネルユニットである。
【発明の効果】
【００１４】
本発明によれば、表示部およびタッチパネルユニットを備えた電子機器であって、表示部の周囲に形成される画面枠の大きさをより小さくすることが可能な電子機器を得ることができる。
【図面の簡単な説明】
【００１５】
【図１】実施の形態１における電子機器を示す斜視図である。
【図２】実施の形態１における電子機器の分解した状態を示す斜視図である。
【図３】図２中のＩＩＩ−ＩＩＩ線に沿った矢視断面図である。
【図４】実施の形態１における電子機器に用いられるタッチパネルユニット（タッチパネルユニットの展開した状態）を示す平面図である。
【図５】実施の形態１における電子機器に用いられるディスプレイユニット（ディスプレイユニットの展開した状態）を示す平面図である。
【図６】実施の形態１の変形例における電子機器に用いられるカバーガラス、タッチパネルユニットおよびディスプレイユニットを示す断面図である。
【図７】実施の形態２における電子機器を示す斜視図である。
【図８】図７中のＶＩＩＩ−ＶＩＩＩ線に沿った矢視断面図である。
【図９】図７中のＩＸ−ＩＸ線に沿った矢視断面図である。
【発明を実施するための形態】
【００１６】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１７】
［実施の形態１］
図１は、本実施の形態における電子機器１００を示す斜視図である。図２は、電子機器１００の分解した状態を示す斜視図である。図３は、図２中のＩＩＩ−ＩＩＩ線に沿った矢視断面図である。図示上の便宜のため、図３中には、電子機器１００に用いられる本体ケース１０（図２参照）、電池パック１２（図２参照）および制御ユニット１４（図２参照）は記載されていない。
【００１８】
図１〜図３に示すように、電子機器１００は、本体ケース１０（図１，図２参照）、電池パック１２（図２参照）、制御ユニット１４（図２参照）、カバーガラス２０、タッチパネルユニット３０（図２，図３参照）、ディスプレイユニット４０（図２，図３参照）および加飾層５０（図３参照）を備える。
【００１９】
本体ケース１０は、たとえば金属製の部材から構成され、底面部１６および一対の立壁部１８を含む。一対の立壁部１８は、互いに対向しており、底面部１６の一方の端部と底面部１６の他方の端部とからそれぞれ起立するように設けられる。電池パック１２および制御ユニット１４は、底面部１６および一対の立壁部１８によって囲まれる空間（収容部）内に配置される。詳細な電気接続関係は記載していないが、制御ユニット１４、タッチパネルユニット３０およびディスプレイユニット４０は、電池パック１２から給電されることによって作動する。
【００２０】
カバーガラス２０は、主面部２１、接続部２２および側壁部２３を含む。カバーガラス２０は、たとえば、溶融したガラスが金型を用いて加圧成形されることにより作製されたガラス成形品から構成される。カバーガラス２０を得るためには、ガラス成形によって得られたガラス成形品にさらに研削加工または研磨加工等がさらに施されてもよいし、圧縮応力層等がその表面に形成されてもよい。カバーガラス２０は、本体ケース１０に取り付けられた状態（図１に示す状態）では、その表面側は外部に露出し、その裏面側は電子機器１００の内部に位置する。
【００２１】
カバーガラス２０の主面部２１は、略板状の形状を有し、その外形は矩形状に形成される。詳細は後述されるが、ディスプレイユニット４０の表示部４２からの光は、主面部２１の裏面側から主面部２１の表面側に向かってカバーガラス２０を透過する。カバーガラス２０の接続部２２は、主面部２１の外縁に連設される。本実施の形態における接続部２２は、主面部２１の対向する２つの外縁の各々に連設するように形成される。各々の接続部２２は、主面部２１から外方に向かうにつれて、主面部２１の表面から遠ざかる方向に（本体ケース１０側に向かって）湾曲する形状を有する。好適には、接続部２２の内側に形成された湾曲面の曲率半径は、１．５ｍｍ以上であるとよい。
【００２２】
側壁部２３は、略板状の形状を有し、接続部２２の外縁に連設される。側壁部２３は、主面部２１から遠ざかる方向に延在する。本実施の形態の側壁部２３は、主面部２１に対して略直交する方向に延在している。主面部２１の一方の外縁側に形成された側壁部２３および主面部２１の他方の外縁側に形成された側壁部２３は、電池パック１２および制御ユニット１４が配置される領域（収容部）を挟んで互いに対向している。
【００２３】
加飾層５０は、薄いフィルム状の形状を有し、カバーガラス２０の裏面側に設けられる。加飾層５０は、たとえばＰＥＴ（Polyethylene  Terephthalate）からなる。加飾層５０の色は、たとえば黒色である。加飾層５０は、必要に応じてアクリル系粘着剤または光学透明両面テープ等の接着層（図示せず）等を用いてカバーガラス２０の裏面に貼り付けられる。加飾層５０は、塗装処理によってカバーガラス２０の裏面に形成されてもよいし、マスク印刷処理、スクリーン印刷処理、およびパッド印刷処理などの各種の印刷処理によってカバーガラス２０の裏面に形成されてもよい。
【００２４】
加飾層５０は、開口部５２（図３参照）を有し、この開口部５２の形状は、電子機器１００の内部に設けられるディスプレイユニット４０の表示部４２の形状に対応している。電子機器１００が組み立てられた状態においては、加飾層５０の開口部５２に対応する領域が、主面部２１のうちの画面領域２４（図１，図２参照）として外部から視認される。加飾層５０が設けられている領域が、主面部２１のうちの非画面領域２５（画面枠）として外部から視認される。ディスプレイユニット４０の表示部４２からの光は、主面部２１の画面領域２４を透過し、使用者によって視認される。
【００２５】
図４は、タッチパネルユニット３０（タッチパネルユニット３０の展開した状態）を示す平面図である。本実施の形態で用いられるタッチパネルユニット３０は、静電容量方式タッチパネルユニットであり、全体として可撓性を有する薄いフィルム状の基板から構成される。タッチパネルユニット３０は、抵抗膜方式などの他の方式を採用するものであってもよい。タッチパネルユニット３０は、アクリル系粘着剤または光学透明両面テープ等の接着層（図示せず）等を用いて、加飾層５０の裏面側に接着される。図４に示すように、タッチパネルユニット３０は、検知領域３２および配線領域３４，３５を含む。
【００２６】
検知領域３２は、フィルム基板の表面に、電界を形成するための複数の電極（電極パッド）を備える。複数の電極の各々は、ひし形状の形状を有し、Ｘ方向およびＹ方向に沿ってアレイ状（マトリックス状）に配置される。検知領域３２は、ディスプレイユニット４０の表示部４２に対向するように（使用者側から見て表示部４２に重なるように）配置される。カバーガラス２０の表面に使用者の手指またはスタイラスペンなどが接触し、表示部４２（指示キー）に対して所定の操作が行われたことを、検知領域３２は検知することができる。
【００２７】
配線領域３４，３５は、検知領域３２の外周に設けられる。本実施の形態においては、検知領域３２の対向する両外周に、一対の配線領域３４（３４Ａ），３４（３４Ｂ）がそれぞれ形成される。検知領域３２の配線領域３４（３４Ａ），３４（３４Ｂ）とは異なる外周（図４紙面下方側）に、配線領域３５が形成される。
【００２８】
配線領域３４（３４Ａ），３４（３４Ｂ）の中には、複数の配線ライン３１が設けられる。複数の配線ライン３１は、Ｘ方向に沿うように並んで配列された電極に導電性ペースト等を用いて電気的に接続され、これらの電極からの信号を受け取る。配線領域３５の中には、複数の配線ライン３３（および複数の配線ライン３１の一部）が設けられる。複数の配線ライン３３は、Ｙ方向に沿うように並んで配列された電極に導電性ペースト等を用いて電気的に接続され、これらの電極からの信号を受け取る。複数の配線ライン３１，３３は、検知領域３２から見て配線領域３５とは反対側に位置する領域３６に含まれるように配置されていてもよい。この場合、領域３６も配線領域として機能する。
【００２９】
複数の配線ライン３１，３３は、ＦＰＣ（Flexible  Printed  Circuits）等の基板３７を通して、コントロールユニットＩＣ３８（Control  Integrated  Circuit）に接続される。コントロールユニットＩＣ３８は、制御ユニット１４（図２参照）内に設けられる。使用者による表示部４２に対する操作は、検知領域３２の中の各電極で検知された後、検知信号として制御ユニット１４に入力される。制御ユニット１４は、受け取った検知信号に基づいて、表示部４２の表示内容を変更したり、電子機器１００を構成する各種の電子機器に対して命令を出力したりする。
【００３０】
図５は、ディスプレイユニット４０（ディスプレイユニット４０の展開した状態）を示す平面図である。ディスプレイユニット４０は、アクリル系粘着剤または光学透明両面テープ等の接着層（図示せず）等を用いて、タッチパネルユニット３０の裏面側に接着される。ディスプレイユニット４０は、画像を表示するための複数の画像素子４１を有する表示部４２と、表示部４２の外周に形成される枠状の非表示部４４，４５，４６とを含む。
【００３１】
本実施の形態における画像素子４１は、有機ＥＬ（Organic  Electroluminecense）から構成される。画像素子４１は、ＬＥＤ（Light  Emitting  Diode）から構成されていてもよいし、他の発光手段から構成されていてもよい。表示部４２の全体が液晶パネルから構成されていてもよい。この場合、表示部４２の裏面側（表示部４２から見てカバーガラス２０とは反対側）には、バックライトが設けられる。
【００３２】
本実施の形態においては、表示部４２の対向する両外周に、一対の非表示部４４（４４Ａ），４４（４４Ｂ）がそれぞれ形成される。表示部４２の非表示部４４（４４Ａ），４４（４４Ｂ）とは異なる外周（図５紙面下方側）に、非表示部４５が形成される。表示部４２から見て非表示部４５とは反対側の外周に、非表示部４６が形成される。非表示部４４，４５，４６の中には、画像素子４１に電気的に接続された図示しない配線パターン（駆動に用いられる電気回路）、および、画像素子４１を封止するための封止部材などが形成される。配線パターンは、図示しないＦＰＣ（Flexible  Printed  Circuits）等の基板を通して、制御ユニット１４（図２参照）に電気的に接続される。
【００３３】
図２および図３を再び参照して、本実施の形態のカバーガラス２０は、タッチパネルユニット３０をディスプレイユニット４０の反対側から覆うように設けられる。タッチパネルユニット３０の配線領域３４の一部は、カバーガラス２０の側壁部２３の内周面２３Ｓに沿うように湾曲して配置されている。本実施の形態の配線領域３４は、可撓性を有している。配線領域３４は、カバーガラス２０の側壁部２３の内周面２３Ｓに沿うように、予め湾曲した状態で形成されていてもよい。
【００３４】
検知領域３２が主面部２１に対向するように配置されている一方で、配線領域３４は、検知領域３２の端部から外方に向かうにつれて、側壁部２３の内周面２３Ｓに沿うように折り曲げられて配置されている。使用者側から見て、配線領域３４の全部は、加飾層５０によって隠されている。
【００３５】
本実施の形態においては、ディスプレイユニット４０についても同様に配置される。具体的には、ディスプレイユニット４０の非表示部４４の一部は、カバーガラス２０の側壁部２３の内周面２３Ｓに沿うように配置されたタッチパネルユニット３０の配線領域３４に沿うように湾曲して配置されている。ディスプレイユニット４０の非表示部４４の一部は、カバーガラス２０の側壁部２３の内周面２３Ｓに沿うように配置されたタッチパネルユニット３０の配線領域３４に沿うように、予め湾曲した状態で形成されていてもよい。使用者側から見て、非表示部４４の全部は、加飾層５０によって隠されている。
【００３６】
本実施の形態の構成によれば、タッチパネルユニット３０の配線領域３４の全部が湾曲しないように構成されている場合に比べて、配線領域３４が設けられる領域の幅（図３紙面左右方向における幅）を小さくすることができる。配線領域３４が幅方向の外側に位置していることによって、検知領域３２の大きさを大きくすることができる。したがって本実施の形態の構成によれば、本体ケース１０等の筺体の大きさを大きくすることなく、表示部４２の周囲に形成される画面枠をより小さくすることが可能となり、ひいてはディスプレイユニット４０の表示部４２の幅（面積）を大きく確保することが可能となる。
【００３７】
［変形例］
上述の実施の形態１の電子機器１００においては、タッチパネルユニット３０の配線領域３４の一部が、カバーガラス２０の側壁部２３の内周面２３Ｓに沿うように湾曲して配置されている。同様に、ディスプレイユニット４０の非表示部４４の一部が、カバーガラス２０の側壁部２３の内周面２３Ｓに沿うように配置されたタッチパネルユニット３０の配線領域３４に沿うように湾曲して配置されている。
【００３８】
図６を参照して、タッチパネルユニット３０の配線領域３４の全部が、カバーガラス２０の側壁部２３の内周面２３Ｓに沿うように配置されていてもよい。また、ディスプレイユニット４０の非表示部４４の全部が、カバーガラス２０の側壁部２３の内周面２３Ｓに沿うように配置されたタッチパネルユニット３０の配線領域３４に沿うように湾曲して配置されていてもよい。本変形例の場合、検知領域３２および／または表示部４２が可撓性を有しているか、若しくは予め湾曲された状態で形成されている。本変形例の場合、配線領域３４および／または非表示部４４は、必ずしも可撓性を有している必要はない。
【００３９】
当該構成によっても、上記の実施の形態１と同様の効果を得られる。さらに、本変形例の場合、主面部２１の全面、接続部２２の全面、および側壁部２３の一部が、画面領域２４を構成することができる。加飾層５０（図示せず）は、主面部２１側には設けられていなくてもよい。加飾層５０（図示せず）は、必要に応じて配線領域３４と側壁部２３との間に設けられるとよい。タッチパネルユニット３０の検知領域３２は、側壁部２３の表面側にまで及んでいる。側壁部２３もタッチパネル面として機能することができるため、電子機器としての利便性をさらに向上させることも可能となる。
【００４０】
［実施の形態２］
図７は、本実施の形態における電子機器２００を示す斜視図である。図８は、図７中のＶＩＩＩ−ＶＩＩＩ線に沿った矢視断面図である。図９は、図７中のＩＸ−ＩＸ線に沿った矢視断面図である。図示上の便宜のため、図８および図９中には、電子機器２００に用いられるカバーガラス２０Ａ、タッチパネルユニット３０、ディスプレイユニット４０および加飾層５０のみを記載している。上述の実施の形態１におけるカバーガラス２０（図１参照）の接続部２２は、主面部２１の対向する２つの外縁の各々に連設するように形成される。
【００４１】
図７〜図９を参照して、本実施の形態のカバーガラス２０Ａにおいては、接続部２２が全体として環状の形状を有している。同様に、側壁部２３も全体として環状の形状を有し、接続部２２の外縁に連設するように形成される。本実施の形態の電子機器２００に用いられる本体ケース１０Ａ（図７参照）は、上述の実施の形態１における本体ケース１０（図２参照）の立壁部１８に対応する部位にも、カバーガラス２０Ａの側壁部２３が設けられる。
【００４２】
カバーガラス２０Ａも、タッチパネルユニット３０をディスプレイユニット４０の反対側から覆うように設けられる。タッチパネルユニット３０の配線領域３４の一部は、カバーガラス２０Ａの側壁部２３の内周面２３Ｓに沿うように湾曲して配置されている。タッチパネルユニット３０の配線領域３４の全部が、カバーガラス２０Ａの側壁部２３の内周面２３Ｓに沿うように配置されていてもよい。
【００４３】
ディスプレイユニット４０の非表示部４４の一部は、カバーガラス２０Ａの側壁部２３の内周面２３Ｓに沿うように配置されたタッチパネルユニット３０の配線領域３４に沿うように湾曲して配置されている。ディスプレイユニット４０の非表示部４４の全部が、カバーガラス２０Ａの側壁部２３の内周面２３Ｓに沿うように配置されたタッチパネルユニット３０の配線領域３４に沿うように配置されていてもよい。
【００４４】
本実施の形態の構成によっても、タッチパネルユニット３０の配線領域３４の全部が湾曲しないように構成されている場合に比べて、配線領域３４が設けられる領域の幅（図８および図９紙面左右方向における幅）を小さくすることができる。配線領域３４が幅方向の外側に位置していることによって、検知領域３２の大きさを大きくすることができる。したがって本実施の形態の構成によっても、本体ケース１０Ａ等の筺体の大きさを大きくすることなく、表示部４２の周囲に形成される画面枠をより小さくすることが可能となり、ひいてはディスプレイユニット４０の表示部４２の幅（面積）を大きく確保することが可能となる。
【００４５】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４６】
１０，１０Ａ  本体ケース、１２  電池パック、１４  制御ユニット、１６  底面部、１８  立壁部、２０，２０Ａ  カバーガラス、２１  主面部、２２  接続部、２３  側壁部、２３Ｓ  内周面、２４  画面領域、２５  非画面領域、３０  タッチパネルユニット、３１，３３  配線ライン、３２  検知領域、３４，３５  配線領域、３６  領域、３７  基板、３８  コントロールユニットＩＣ、４０  ディスプレイユニット、４１  画像素子、４２  表示部、４４，４５，４６  非表示部、５０  加飾層、５２  開口部、１００，２００  電子機器。
【図１】
2014095992.tif 000003
【図２】
2014095992.tif 000004
【図３】
2014095992.tif 000005
【図４】
2014095992.tif 000006
【図５】
2014095992.tif 000007
【図６】
2014095992.tif 000008
【図７】
2014095992.tif 000009
【図８】
2014095992.tif 000010
【図９】
2014095992.tif 000011